(57)【要約】【課題】自動調光を制御して画面の明るさを好適に安定させることが可能な端末装置、端末装置の制御方法及びそのプログラムを提供する。【解決手段】端末装置を、タッチパネルの自動調光を行う調光部と、タッチパネルに隣接して配置された照度センサと、照度センサに隣接して配置された近接センサと、照度センサにより検出された照度が所定量だけ変化したか否かを判定する照度判定部と、照度センサの近傍の所定の範囲におけるタッチパネルの操作の有無を判定する操作判定部とを備え、所定量だけ照度が低下したと判定した後、第１の時間が経過する前にタッチパネルの操作があったと判定した場合、タッチパネルの自動調光を停止し、所定量だけ照度が低下したと判定した後、第１の時間が経過するまでタッチパネルの操作がなかったと判定した場合に、さらに第２の時間が経過する前に物体の近接を検出した場合、タッチパネルの自動調光を停止する構成とする。【選択図】図１
2014238967.tif 000002
【特許請求の範囲】
【請求項１】
タッチパネルの自動調光を行う調光部と、
前記タッチパネルに隣接して配置された照度センサと、
前記照度センサに隣接して配置された近接センサと
前記照度センサにより検出された照度が所定量だけ変化したか否かを判定する照度判定部と、
前記照度センサの近傍の所定の範囲における前記タッチパネルの操作の有無を判定する操作判定部と、
を備え、
前記照度判定部が前記所定量だけ照度が低下したと判定した後、第１の時間が経過する前に、前記操作判定部が前記タッチパネルの操作があったと判定した場合、前記調光部は前記タッチパネルの自動調光を停止し、
前記照度判定部が前記所定量だけ照度が低下したと判定した後、前記第１の時間が経過するまで前記操作判定部が前記タッチパネルの操作がなかったと判定した場合に、さらに第２の時間が経過する前に前記近接センサが物体の近接を検出した場合、前記調光部は前記タッチパネルの自動調光を停止する
ことを特徴とする端末装置。
【請求項２】
前記調光部が前記タッチパネルの自動調光を停止した後、前記照度判定部が前記所定量だけ照度が変化しなかったと判定した場合、前記調光部は前記タッチパネルの自動調光を停止し続ける、ことを特徴とする請求項１に記載の端末装置。
【請求項３】
前記調光部が前記タッチパネルの自動調光を停止した後、前記照度判定部が前記所定量だけ照度が上昇したと判定した場合、前記調光部は前記タッチパネルの自動調光を開始する、ことを特徴とする請求項１又は請求項２に記載の端末装置。
【請求項４】
タッチパネルの自動調光を行う端末装置の制御方法において、
前記タッチパネルに隣接して配置された照度センサにより検出された照度が所定量だけ変化したか否かを判定する照度判定ステップと、
前記照度センサの近傍の所定の範囲における前記タッチパネルの操作の有無を判定する操作判定ステップと、
前記照度判定ステップで前記所定量だけ照度が低下したと判定した後、第１の時間が経過する前に、前記操作判定ステップで前記タッチパネルの操作があったと判定した場合、前記タッチパネルの自動調光を停止する第１の調光ステップと、
前記照度判定ステップで前記所定量だけ照度が低下したと判定した後、前記第１の時間が経過するまで前記操作判定ステップで前記タッチパネルの操作がなかったと判定した場合に、さらに第２の時間が経過する前に前記照度センサに隣接して配置された近接センサが物体の近接を検知した場合、前記タッチパネルの自動調光を停止する第２の調光ステップと
を備えることを特徴とする端末装置の制御方法。
【請求項５】
タッチパネルの自動調光を行う端末装置の前記タッチパネルに隣接して配置された照度センサにより検出された照度が所定量だけ変化したか否かを判定する照度判定ステップと、
前記照度センサの近傍の所定の範囲における前記タッチパネルの操作の有無を判定する操作判定ステップと、
前記照度判定ステップで前記所定量だけ照度が低下したと判定した後、第１の時間が経過する前に、前記操作判定ステップで前記タッチパネルの操作があったと判定した場合、前記タッチパネルの自動調光を停止する第１の調光ステップと、
前記照度判定ステップで前記所定量だけ照度が低下したと判定した後、前記第１の時間が経過するまで前記操作判定ステップで前記タッチパネルの操作がなかったと判定した場合に、さらに第２の時間が経過する前に、前記照度センサに隣接して配置された近接センサが物体の近接を検知した場合、前記タッチパネルの自動調光を停止する第２の調光ステップと
をコンピュータに実行させるためのプログラム。
【発明の詳細な説明】
【技術分野】
【０００１】
本件開示の発明は、調光機能を有する端末装置、端末装置の制御方法及びそのプログラムに関する。
【背景技術】
【０００２】
近年普及している携帯電話端末をはじめとする端末装置の多くには、加速度センサや輝度センサ（環境光センサ）といった様々なセンサが備わっている。センサとは、力の大きさや距離の遠近、明るさなどの物理量を、電気信号等の他の種類の量に変換する電気回路の部品である。携帯電話端末は、これらのセンサを利用して電話機能の使い勝手を向上させたり、様々なアプリケーション（アプリ）に応用したりしている。
【０００３】
このようなセンサの利用形態の一例として、携帯電話端末に照度センサを設けたものがある。例えば、特許文献１には、照度センサの出力に応じて、携帯電話端末の画面表示に用いるバックライト用光源から出射される光の輝度値を段階的に変更される構成が開示されている。照度センサは、画面上の照度（明るさ）を検出するため、画面の近傍に配置されることが多い。
【先行技術文献】
【特許文献】
【０００４】
【特許文献１】特開２０１２−５４７１４号公報
【発明の概要】
【発明が解決しようとする課題】
【０００５】
そのため、ユーザが携帯電話端末を扱う際に、意図せず指等で照度センサを塞いだり、照度センサを塞いだ指等を離したりすることが想定される。しかし、上記の文献に開示されている技術では、ユーザの指等が照度センサを塞いだり照度センサから離れたりすることで、短時間に急激な明暗の変化が照度センサにより検出されると、この変化に合わせてバックライトの調光が実行される。したがって、バックライトの光量が短時間に増減を繰り返すことで、画面が急に暗くなったり急に明るくなったりする問題が生じる。
【０００６】
そこで、本件開示の技術は、上記の事情に鑑みてなされたものであり、その目的とするところは、自動調光を制御して画面の明るさを好適に安定させることが可能な端末装置、端末装置の制御方法及びそのプログラムを提供することである。
【課題を解決するための手段】
【０００７】
本件開示の端末装置は、１つの側面では、タッチパネルの自動調光を行う調光部と、タッチパネルに隣接して配置された照度センサと、照度センサに隣接して配置された近接センサと、照度センサにより検出された照度が所定量だけ変化したか否かを判定する照度判定部と、照度センサの近傍の所定の範囲におけるタッチパネルの操作の有無を判定する操作判定部とを備え、照度判定部が所定量だけ照度が低下したと判定した後、第１の時間が経過する前に、操作判定部がタッチパネルの操作があったと判定した場合、調光部はタッチパネルの自動調光を停止し、照度判定部が所定量だけ照度が低下したと判定した後、第１の時間が経過するまで操作判定部がタッチパネルの操作がなかったと判定した場合に、さらに第２の時間が経過する前に近接センサが物体の近接を検出した場合、調光部はタッチパネルの自動調光を停止する。
【発明の効果】
【０００８】
本件開示の発明によれば、自動調光を制御して画面の明るさを好適に安定させることが可能な端末装置、端末装置の制御方法及びそのプログラムを提供することができる。
【図面の簡単な説明】
【０００９】
【図１】図１は、一実施形態における携帯電話端末のハードウェア構成を示す概略構成図である。
【図２】図２は、一実施形態における携帯電話端末の機能部を示す機能構成図である。
【図３Ａ】図３Ａは、一実施形態における携帯電話端末の構成を示す模式図である。
【図３Ｂ】図３Ｂは、一実施形態における携帯電話端末の使用時の一例を示す模式図である。
【図４】図４は、一実施形態における携帯電話端末において実行される処理のフローチャートの一部を示す図である。
【図５】図５は、一実施形態における携帯電話端末において実行される処理のフローチャートの一部を示す図である。
【発明を実施するための形態】
【００１０】
以下、一実施形態における携帯電話端末及びその制御方法について、図面を参照しながら説明する。
【００１１】
図１に示すように、本実施形態における携帯電話端末１０は、アンテナ１０１、電源回路１０２、ＣＰＵ１０３、ボタン１０４、メモリ１０５、タッチパネル１０６、照度センサ１０７、近接センサ１０８、タイマ１０９、スピーカ１１０を備える。なお、携帯電話端末１０が、端末装置の一例に相当する。
【００１２】
携帯電話端末１０は、アンテナ１０１を経由して基地局等外部の無線送受信装置（図示せず）と無線通信を行う。電源回路１０２は、携帯電話端末１０内の電池（図示せず）の電力を構成する各部に供給する回路である。ＣＰＵ１０３は、無線通信の変復調、ユーザによる種々の操作、携帯電話端末１０において実行される各種アプリケーションの処理等を行うプロセッサである。なお、本実施形態における種々の処理を１以上のプロセッサを用いて実行する構成としてもよい。ボタン１０４は、ユーザが携帯電話端末１０の操作に使用する。メモリ１０５は、ＣＰＵ１０３が種々の処理を実行する際に一時的な記憶領域として使用される。すなわち、メモリ１０５はワークエリアとして用いられ、各種アプリケーションや端末番号等の携帯電話端末固有の情報が格納される。また、メモリ１０５には、ユーザが入力した設定やアプリケーションの情報、ユーザに提供されるコンテンツデータ等が格納される。
【００１３】
タッチパネル１０６は、ＣＰＵ１０３により実行される種々の処理の処理結果や処理状態、コンテンツ等を表示する。また、ユーザはタッチパネル１０６に表示されたアイコン等の表示項目を指等でタッチ操作等することで、表示項目の選択等を行う。
【００１４】
照度センサ１０７は、照度を検出するセンサである。本実施形態では、照度センサ１０７は、タッチパネル１０６の近傍に配置される。これにより照度センサ１０７は、タッチパネル１０６における光の強度を照度として検出することができる。照度センサ１０７は、受光素子に入射した光を電流に変換して照度（明るさ）を検出する。照度センサ１０７の種類には、アナログ信号として出力するタイプやデジタル信号に変換して出力するタイプ等がある。照度センサ１０７には、人間の目が感じることのできる波長と同じ波長の感度を持つ分光感度特性が求められる。
【００１５】
近接センサ１０８は、物体の近接を検出するセンサである。近接センサ１０８は、物体
がセンサ自体に直接触れなくても物体が接近したこと等を検出する。例えば、近接センサ１０８は、ユーザが通話の際に耳を携帯電話端末１０に近づけたときに自動的にタッチパネル１０６の動作を無効に切り替える。これにより、耳や顔等がタッチパネル１０６に触れることで発生する誤操作を防止する。
【００１６】
近接センサ１０８には種々の種類があり、静電気や磁気、超音波、電磁波、赤外線等を利用するものがある。静電気を利用したものは「静電容量型」と呼ばれ、電極が絶縁体を挟んでコンデンサ（蓄電器）を構成する。そして、物体が近づくことで生じるコンデンサ内の電気エネルギーの量（静電容量）の変化を検出する。また、磁気を利用したものは「誘導型」と呼ばれ、誘導電流による検出コイルのインピーダンスの変化を検出する。また、「赤外線型」の近接センサは、赤外線を送り出す発光素子と赤外線を受信して電気信号に変換する受光素子とで構成されている。発光素子から照射された赤外線は、物体に当たって反射し受光素子に戻ってくる。受光素子は、反射して戻ってきた赤外線を感知して電力に変換し、この変換された電力が一定以上になったときに物体がある一定の距離内に近づいたと判定する。他にも超音波を利用する「超音波型」や「電磁波型」などの種類がある。
【００１７】
タイマ１０９は、照度センサ１０７による検出や近接センサ１０８による検出に応じて動作する。タイマ１０９の動作の詳細については後述する。スピーカ１１０は、ユーザが電話機能を使用する際の通話に使用される。また、スピーカ１１０は、携帯電話端末１０における音楽や動画等の再生、アラーム機能を利用する際の音声出力、着信時の音声通知等にも使用される。
【００１８】
本実施形態では、携帯電話端末１０のメモリ１０５に記憶されているアプリケーションが、ＣＰＵ１０３によって実行され、処理結果が適宜タッチパネル１０６に表示される。このようなアプリケーションにより、図２に示すように、携帯電話端末１０は、調光部２００、照度判定部３００、操作判定部４００として機能する。
【００１９】
調光部２００は、タッチパネル１０６の自動調光等の調光制御を行う。すなわち、調光部２００は、タッチパネル１０６のバックライト（図示せず）の輝度を調節する。本実施形態では、調光部２００は、照度センサ１０７が検出した照度に応じてバックライトの輝度を決定する判断部や、該判断部で決定された輝度をバックライトの輝度として設定する設定部の役割も果たす。これにより、調光部２００は、タッチパネル１０６の自動調光を行うことができる。
【００２０】
照度判定部３００は、照度センサ１０７が検出する照度の変化量に基づいて、照度の増減を判定する。これにより、照度の増減に基づいて、携帯電話端末１０を明るい場所から暗い場所、あるいは暗い場所から明るい場所に移動した場合の照度の増減を判定することができる。また、照度判定部３００は、ユーザがタッチパネル１０６をタッチ操作する等の操作を行う際に、指等によって照度センサ１０７を塞いだ場合や指等を照度センサ１０７から離した場合の照度の増減も判定することができる。
【００２１】
操作判定部４００は、近接センサ１０８が物体の近接を検出したか否かを判定する。上記の通り、本実施形態では、近接センサ１０８は照度センサ１０７に隣接する位置に配置される。このため、例えば、ユーザの指等によって照度センサ１０７が塞がれた場合、近接センサ１０８によって照度センサ１０７を塞いでいるユーザの指等を検出することができる。
【００２２】
次に、図３Ａ及び図３Ｂを参照しながら、本実施形態においてユーザがタッチパネル１０６を操作した場合の一例について説明する。図３Ａに示すように、本実施形態の携帯電
話端末１０は、筐体１００のほぼ中央にタッチパネル１０６を備える。また、筐体１００には、タッチパネル１０６の近傍に照度センサ１０７と近接センサ１０８とが互いに隣接して配置される。また、本実施形態においては、タッチパネル１０６の画面の一部に領域５００が設定されている。領域５００は、照度センサ１０７の近傍に設定された一定範囲の領域である。図では説明のために領域５００を点線にて示すが、タッチパネル１０６に領域５００を表示する必要はない。また、図では領域５００を半円で示すが、照度センサ１０７の近傍に設定される領域であれば、その範囲や形状は任意に設定することができる。
【００２３】
次に、図３Ｂに、ユーザが携帯電話端末１０を手６００で持つときに、指が照度センサ１０７と近接センサ１０８を塞いだ場合を示す。図３Ｂに示すようにユーザの指は、タッチパネル１０６の一部を覆っており、領域５００に重なっている。このようにユーザが携帯電話端末１０を持つとき、指で照度センサ１０７が塞がれる。したがって、照度センサ１０７によって検出される照度は短時間で急激に減少する。このような場合に調光部２００によってタッチパネル１０６の自動調光が実行されると、バックライトの輝度が高くなるように調光される。一方、ユーザが携帯電話端末１０を持ち替えたり離したりする等により、指が照度センサ１０７から離れると、今度は照度センサ１０７によって検出される照度は短時間で急激に増加する。このような場合に調光部２００によってタッチパネル１０６の自動調光が実行されると、バックライトの輝度が低くなるように調光される。
【００２４】
したがって、ユーザの指が繰り返し照度センサ１０７を塞いだり照度センサ１０７から離れたりしたときに、その都度、自動調光が実行されると、バックライトの輝度も繰り返し変化する。これにより、タッチパネル１０６が明滅してタッチパネル１０６に表示される情報が見にくくなる。そこで、本実施形態では、ユーザが意図せず照度センサ１０７を指等で塞いだり照度センサ１０７から指等を離したりしたときに、自動調光を制御することで、タッチパネル１０６の明滅を回避する。
【００２５】
次に、図４を参照しながら、携帯電話端末１０における割り込みイベント発生時の処理について説明する。以下の説明において、各ステップはＳと略記する。本実施形態においては、携帯電話端末１０の電源がオンになると図４に示すフローチャートが開始する。図４に示すフローチャートの各処理は、ＣＰＵ１０３によって実行される。
【００２６】
Ｓ１０１において、調光部２００が、タッチパネル１０６の自動調光を開始する。次いで、処理はＳ１０２に進められる。Ｓ１０２では、タイマ１０９が起動され、タイマ１０９に設定された時間が経過するまで待機される。タイマ１０９が満了すると、処理はＳ１０３に進められる。Ｓ１０３では、照度判定部３００が、照度センサ１０７により検出された照度を取得する。そして、Ｓ１０４において、照度判定部３００は、取得した照度の値をメモリ１０５に記憶する。メモリ１０５には、照度判定部３００が過去に複数回にわたって取得した照度の値が記憶される。次いで、Ｓ１０５では、照度判定部３００は、メモリ１０５から、Ｓ１０３において今回取得した照度の値と前回取得した照度の値を読み出す。そして、照度判定部３００は、これらの照度の値の差を算出し、照度の値の差が所定量以上であるか否かを判定する。照度の値の差が所定量以上である場合は（Ｓ１０５：Ｙｅｓ）、処理は図５のＳ１０９に進められる。また、照度の差が所定量以上でない場合は（Ｓ１０５：Ｎｏ）、処理はＳ１０６に進められる。
【００２７】
Ｓ１０６において、調光部２００は、現在タッチパネル１０６の自動調光を実行しているか否かを判定する。後述するようにタッチパネル１０６の自動調光を停止する等、現在タッチパネル１０６の自動調光を実行していない場合は（Ｓ１０６：Ｎｏ）、調光部２００は処理をＳ１０７に進める。また、タッチパネル１０６の自動調光中である場合は（Ｓ１０６：Ｙｅｓ）、調光部２００は処理をＳ１０８に進める。Ｓ１０７では、調光部２０
０は、Ｓ１０６の判定に従って、タッチパネル１０６の自動調光を実行していない状態を維持し、処理をＳ１０２に戻す。また、Ｓ１０８では、調光部２００は、Ｓ１０６の判定に従って、タッチパネル１０６の自動調光を実行している状態を維持し、処理をＳ１０２に戻す。
【００２８】
図５のＳ１０９では、照度判定部３００は、Ｓ１０５において判定された所定量の照度変化が照度の低下であるか否かを判定する。したがって、Ｓ１０５及びＳ１０９の処理により、携帯電話端末１０を明るい場所から暗い場所に移した場合や照度センサがユーザの指等によって塞がれた場合等、急激に照度が低下する現象が発生したか否かを判定することができる。照度変化が照度の上昇である場合は（Ｓ１０９：Ｎｏ）、処理はＳ１１０に進められる。また、照度変化が照度の低下ある場合は（Ｓ１０９：Ｙｅｓ）、処理はＳ１１１に進められる。
【００２９】
Ｓ１１０において、調光部２００は、タッチパネル１０６の自動調光を実行する。このとき、調光部２００は、現在タッチパネル１０６の自動調光を実行している場合は、引き続き自動調光を実行する。また、調光部２００は、後述するようにタッチパネル１０６の自動調光を停止している場合は、自動調光を開始する。Ｓ１１０の処理の後、処理は図４のＳ１０８に進められる。
【００３０】
Ｓ１１１において、操作判定部４００は、タッチパネル１０６の照度センサ１０７の近傍の領域５００において、タッチ操作等が発生しているか否かを判定する。ユーザが指等で照度センサ１０７を塞いでいる場合、その指等が領域５００にも重なっている可能性がある。Ｓ１１１の処理により、領域５００においてタッチ操作等の何らかの接触が発生しているか否かを判定する。すなわち、照度センサ１０７における照度の低下が、ユーザの指等によって照度センサ１０７が塞がれているために発生している可能性があることをＳ１１１の処理によって検出することができる。領域５００において操作が発生していない場合は（Ｓ１１１：Ｎｏ）、処理はＳ１１２に進められる。また、領域５００において操作が発生している場合は（Ｓ１１１：Ｙｅｓ）、処理はＳ１１９に進められる。
【００３１】
Ｓ１１２において、タイマ１０９が起動される。次いで、処理はＳ１１３に進められる。Ｓ１１３では、起動されたタイマ１０９が満了する前に、操作判定部４００がＳ１１１の処理と同様、領域５００における操作等が発したか否かを判定する。Ｓ１１３において、タイマ１０９が計測している時間が第１の経過時間の一例に相当する。Ｓ１１３における操作判定部４００の判定処理はＳ１１１と同じであるため説明は省略する。Ｓ１１３において、領域５００において操作等が発生していない場合は（Ｓ１１３：Ｎｏ）、処理はＳ１１５に進められる。また、領域５００において操作等が発生している場合は（Ｓ１１３：Ｙｅｓ）、処理はＳ１１４に進められる。
【００３２】
Ｓ１１４において、Ｓ１１２で起動されたタイマ１０９が停止される。次いで、処理はＳ１１９に進められる。また、Ｓ１１５において、近接センサ１０８が起動され、さらにタイマ１０９が起動される。次いで、処理はＳ１１６に進められる。Ｓ１１１とＳ１１３の処理により、照度センサ１０７における照度の低下が、ユーザの指等によって照度センサ１０７が塞がれているために発生している可能性があることを検出できる。しかし、照度センサ１０７が指等で塞がれている場合でも、指等が領域５００には重なっていない可能性もある。このような場合は、Ｓ１１１とＳ１１３の処理では、ユーザの指等によって照度センサ１０７が塞がれていないとみなされる。そこで、本実施形態では、さらに照度センサ１０７に隣接して配置された近接センサ１０８による検出結果を利用し、ユーザの指等によって照度センサ１０７が塞がれている場合に、その現象を検出する可能性を高めることができる。
【００３３】
Ｓ１１６において、起動されたタイマ１０９が満了する前に、近接センサ１０８による物体の近接の検出が発生したか否かが判定される。近接センサ１０８が物体の近接を検出しない場合は（Ｓ１１６：Ｎｏ）、処理はＳ１１７に進められる。また、近接センサ１０８が物体の近接を検出した場合は（Ｓ１１６：Ｙｅｓ）、処理はＳ１１８に進められる。Ｓ１１７では、近接センサ１０８が停止される。次いで、処理は図４のＳ１０８に進められる。また、Ｓ１１８では、近接センサ１０８が停止され、さらにタイマ１０９が停止される。次いで、処理はＳ１１９に進められる。
【００３４】
Ｓ１１９では、Ｓ１０３〜Ｓ１０５において取得及び照度の比較に使用された前回の照度の値のデータがメモリ１０５内の別の記憶領域に退避される。退避されたデータの処理については後述する。さらに、Ｓ１１９では、調光部２００がタッチパネル１０６の自動調光を停止する。次いで、処理は図４のＳ１０２に戻される。
【００３５】
Ｓ１１９を経て処理がＳ１０２に戻った後もユーザの指等で照度センサ１０７が塞がれたままである場合、照度センサ１０７により検出される照度は、低下した状態の値である。そのため、Ｓ１０５においては照度の差は所定量より小さいと判定される。さらに、Ｓ１１９においてタッチパネル１０６の自動調光が停止されているため、Ｓ１０６では自動調光中ではないと判定される。したがって、処理はＳ１０７に進められる。そこで、本実施形態では、調光部２００は、Ｓ１０７において自動調光を行わず、現在のタッチパネル１０６の輝度を維持するよう調光制御する。このとき、調光部２００は、Ｓ１１９において退避された前回の照度データを参照し、この前回の照度の値に基づいてタッチパネル１０６の輝度を設定するよう調光制御する。これにより、調光部２００は、タッチパネル１０６の輝度を、照度センサ１０７が急激に低下した照度を検出する前の輝度に維持することができる。したがって、調光部２００がタッチパネル１０６の自動調光を停止している間も、タッチパネル１０６が明るくなったり暗くなったりする等の輝度が変化する現象を回避することができる。
【００３６】
以上が本実施形態に関する説明であるが、上記の情報処理装置の構成や処理は、上記の実施形態に限定されるものではなく、本発明の技術的思想と同一性を失わない範囲内において種々の変更が可能である。例えば、上記の説明では、Ｓ１１８において近接センサ１０８が停止されている。しかし、近接センサ１０８を起動したままとし、ユーザの指等が近接センサ１０８から離れたときに近接センサ１０８によってこれを検出する構成としてもよい。すなわち、近接センサ１０８が物体の近接を検出しなくなったときに、調光部２００が停止していたタッチパネル１０６の自動調光を再開するよう調光制御することも可能である。
【００３７】
《コンピュータが読み取り可能な記録媒体》
コンピュータその他の機械、装置（以下、コンピュータ等）に上記情報処理装置の設定を行うための管理ツール、ＯＳその他を実現させるプログラムをコンピュータ等が読み取り可能な記録媒体に記録することができる。ここで、設定とは、例えばボタン機能の割付等を意味する。そして、コンピュータ等に、この記録媒体のプログラムを読み込ませて実行させることにより、その機能を提供させることができる。ここで、コンピュータは、例えば、携帯電話端末等である。
【００３８】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリ等のメモリカード等がある。また、コンピュータ等に固定された記録媒体として
ハードディスクやＲＯＭ等がある。
【００３９】
以上の実施形態に関し、さらに以下の付記を開示する。
【００４０】
（付記１）
タッチパネルの自動調光を行う調光部と、
前記タッチパネルに隣接して配置された照度センサと、
前記照度センサに隣接して配置された近接センサと
前記照度センサにより検出された照度が所定量だけ変化したか否かを判定する照度判定部と、
前記照度センサの近傍の所定の範囲における前記タッチパネルの操作の有無を判定する操作判定部と、
を備え、
前記照度判定部が前記所定量だけ照度が低下したと判定した後、第１の時間が経過する前に、前記操作判定部が前記タッチパネルの操作があったと判定した場合、前記調光部は前記タッチパネルの自動調光を停止し、
前記照度判定部が前記所定量だけ照度が低下したと判定した後、前記第１の時間が経過するまで前記操作判定部が前記タッチパネルの操作がなかったと判定した場合に、さらに第２の時間が経過する前に、前記近接センサが物体の近接を検出した場合、前記調光部は前記タッチパネルの自動調光を停止する
ことを特徴とする端末装置。
【００４１】
（付記２）
前記調光部が前記タッチパネルの自動調光を停止した後、前記照度判定部が前記所定量だけ照度が変化しなかったと判定した場合、前記調光部は前記タッチパネルの自動調光を停止し続ける、ことを特徴とする付記１に記載の端末装置。
【００４２】
（付記３）
前記調光部が前記タッチパネルの自動調光を停止した後、前記照度判定部が前記所定量だけ照度が上昇したと判定した場合、前記調光部は前記タッチパネルの自動調光を開始する、ことを特徴とする付記１又は付記２に記載の端末装置。
【００４３】
（付記４）
タッチパネルの自動調光を行う端末装置の制御方法において、
前記タッチパネルに隣接して配置された照度センサにより検出された照度が所定量だけ変化したか否かを判定する照度判定ステップと、
前記照度センサの近傍の所定の範囲における前記タッチパネルの操作の有無を判定する操作判定ステップと、
前記照度判定ステップで前記所定量だけ照度が低下したと判定した後、第１の時間が経過する前に、前記操作判定ステップで前記タッチパネルの操作があったと判定した場合、前記タッチパネルの自動調光を停止する第１の調光ステップと、
前記照度判定ステップで前記所定量だけ照度が低下したと判定した後、前記第１の時間が経過するまで前記操作判定ステップで前記タッチパネルの操作がなかったと判定した場合に、さらに第２の時間が経過する前に、前記照度センサに隣接して配置された近接センサが物体の近接を検知した場合、前記タッチパネルの自動調光を停止する第２の調光ステップと
を備えることを特徴とする端末装置の制御方法。
【００４４】
（付記５）
前記調光部が前記タッチパネルの自動調光を停止した後、前記照度判定部が前記所定量
だけ照度が変化しなかったと判定した場合、前記調光部は前記タッチパネルの自動調光を停止し続ける第３の調光ステップをさらに備える、ことを特徴とする付記４に記載の端末装置の制御方法。
【００４５】
（付記６）
前記調光部が前記タッチパネルの自動調光を停止した後、前記照度判定部が前記所定量だけ照度が上昇したと判定した場合、前記調光部は前記タッチパネルの自動調光を開始する第４の調光ステップをさらに備える、ことを特徴とする付記４又は付記５に記載の端末装置の制御方法。
【００４６】
（付記７）
タッチパネルの自動調光を行う端末装置の前記タッチパネルに隣接して配置された照度センサにより検出された照度が所定量だけ変化したか否かを判定する照度判定ステップと、
前記照度センサの近傍の所定の範囲における前記タッチパネルの操作の有無を判定する操作判定ステップと、
前記照度判定ステップで前記所定量だけ照度が低下したと判定した後、第１の時間が経過する前に、前記操作判定ステップで前記タッチパネルの操作があったと判定した場合、前記タッチパネルの自動調光を停止する第１の調光ステップと、
前記照度判定ステップで前記所定量だけ照度が低下したと判定した後、前記第１の時間が経過するまで前記操作判定ステップで前記タッチパネルの操作がなかったと判定した場合に、さらに第２の時間が経過する前に、前記照度センサに隣接して配置された近接センサが物体の近接を検知した場合、前記タッチパネルの自動調光を停止する第２の調光ステップと
をコンピュータに実行させるためのプログラム。
【００４７】
（付記８）
前記タッチパネルの自動調光が停止された後、前記照度判定ステップが前記所定量だけ照度が変化しなかったと判定した場合、前記タッチパネルの自動調光を停止し続ける第３の調光ステップをさらに備える、ことを特徴とする付記７に記載の端末装置の制御方法。
【００４８】
（付記９）
前記タッチパネルの自動調光が停止された後、前記照度判定ステップが前記所定量だけ照度が上昇したと判定した場合、前記タッチパネルの自動調光を開始する第４の調光ステップをさらに備える、ことを特徴とする付記７又は付記８に記載の端末装置の制御方法。
【符号の説明】
【００４９】
１０    携帯電話端末
１０５  メモリ
１０６  タッチパネル
１０７  照度センサ
１０８  近接センサ
１０９  タイマ
２００  調光部
３００  照度判定部
４００  操作判定部
【図１】
2014238967.tif 000003
【図２】
2014238967.tif 000004
【図３Ａ】
2014238967.tif 000005
【図３Ｂ】
2014238967.tif 000006
【図４】
2014238967.tif 000007
【図５】
2014238967.tif 000008